【手続補正書】
【提出日】平成15年4月4日(2003.4.4)
【手続補正１】
【補正対象書類名】明細書
【補正対象項目名】特許請求の範囲
【補正方法】変更
【補正の内容】
【特許請求の範囲】
【請求項１】
セルロース繊維、及び任意のてん料を含む水性懸濁液に、
（ｉ）サイジング剤及び一つ以上の芳香族基を有するポリマーを含むサイジング分散液、及び
（ｉｉ）一つ以上の芳香族基を有するポリマーを含むサイジング促進剤
を添加し、得られた懸濁液を地合構成し、脱水することを含み、サイジング分散液及びサイジング促進剤を水性懸濁液に別々に添加することを特徴とする紙のサイジング方法。
【請求項２】
サイジング促進剤中に含まれる一つ以上の芳香族基を有するポリマーを荷電する請求の範囲第１項記載の方法。
【請求項３】
サイジング分散液中に含まれる一つ以上の芳香族基を有するポリマーが陰イオン性又は陽イオン性である請求の範囲第１項または第２項に記載の方法。
【請求項４】
セルロース繊維、及び任意のてん料を含む水性懸濁液に、
（ｉ）サイジング剤及び一つ以上の芳香族基を有するポリマーを含むサイジング分散液、及び
（ｉｉ）一つ以上の芳香族基を有する第一ポリマー及び一つ以上の芳香族基を有する第二ポリマーを含むサイジング促進剤
を添加し、得られた懸濁液を地合構成し、脱水することを含み、サイジング分散液及びサイジング促進剤を水性懸濁液に別々に添加することを特徴とする紙のサイジング方法。
【請求項５】
サイジング促進剤の第一ポリマー及び第二ポリマーを水性懸濁液に別々に添加する請求の範囲第４項記載の方法。
【請求項６】
サイジング促進剤中に含まれる第一ポリマー及び第二ポリマーを荷電する請求の範囲第４項又は第５項記載の方法。
【請求項７】
サイジング促進剤中に含まれる第一ポリマー及び第二ポリマーの正味の電荷が反対である請求の範囲第４項〜第６項のいずれか１項に記載の方法。
【請求項８】
セルロース繊維、及び任意のてん料を含む水性懸濁液に、
（ｉ）サイジング剤及び一つ以上の芳香族基を有するポリマーを含むサイジング分散液、及び
（ｉｉ）一つ以上の芳香族基を有する陽イオン有機ポリマー、及び一つ以上の芳香族基を有する陰イオンポリマーを含むサイジング促進剤
を添加し、得られた懸濁液を地合構成し、脱水することを含み、サイジング分散液及びサイジング促進剤を水性懸濁液に別々に添加することを特徴とする紙のサイジング方法。
【請求項９】
サイジング促進剤の陽イオン有機ポリマーが陽イオン多糖又は陽イオンビニル付加ポリマーである請求の範囲第８項記載の方法。
【請求項１０】
促進剤の陽イオン有機ポリマーが陽イオン多糖である請求の範囲第８項記載の方法。
【請求項１１】
促進剤の陰イオンポリマーが段階成長ポリマー、多糖又は天然産芳香族ポリマーである請求の範囲第８項記載の方法。
【請求項１２】
促進剤の陰イオンポリマーが段階成長ポリマー又は天然産芳香族ポリマーである請求の範囲第８項記載の方法。
【請求項１３】
促進剤の陰イオンポリマーがナフタレンスルホネート縮合ポリマー又は変性リグニンポリマーである請求の範囲第８項記載の方法。
【請求項１４】
促進剤の陰イオンポリマーが縮合ナフタレンスルホネート又はリグニンスルホネートである請求の範囲第８項記載の方法。
【請求項１５】
陽イオン有機ポリマーが構造式（Ｉ）：
【化１】
2004506103.tif 000001
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖、又は一般式（ＩＩ）：
【化２】
2004506103.tif 000002
（式中、Ｒ1はＨ又はＣＨ3であり、Ｒ2及びＲ3は夫々１〜３個の炭素原子を有するアルキル基であり、Ａ1はＯ又はＮＨであり、Ｂ1は２〜８個の炭素原子を有するアルキレン基又はヒドロキシプロピレン基であり、Ｑは芳香族基を含む置換基であり、かつＸ-は陰イオン対イオンである）
により表される陽イオンモノマー又は陽イオンモノマーを含むモノマー混合物を重合することにより得られたビニル付加ポリマーである請求の範囲第８項記載の方法。
【請求項１６】
陽イオン有機ポリマーが構造式（Ｉ）：
【化３】
2004506103.tif 000003
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖である請求の範囲第８項記載の方法。
【請求項１７】
Ａが必要により１個以上のヘテロ原子により中断又は置換されていてもよい、２〜１８個の炭素原子を有するアルキレン基であり、Ｒ1及びＲ2が夫々Ｈ又は１〜３個の炭素原子を有するアルキル基であり、Ｒ3がベンジル基又はフェニルエチル基である請求の範囲第１６項記載の方法。
【請求項１８】
サイジング促進剤中に含まれる陽イオン有機ポリマー及び陰イオンポリマーを水性懸濁液に別々に添加する請求の範囲第８項記載の方法。
【請求項１９】
サイジング促進剤中に含まれる陰イオンポリマーをサイジング分散液及びサイジング促進剤中に含まれる陽イオン有機ポリマーの両方の後に水性懸濁液に添加する請求の範囲第８項記載の方法。
【請求項２０】
セルロース繊維、及び任意のてん料を含む水性懸濁液に、
（ｉ）サイジング剤及び一つ以上の芳香族基を有する陰イオンポリマーを含むサイジング分散液、
（ｉｉ）一つ以上の芳香族基を有する陽イオン有機ポリマー、及び一つ以上の芳香族基を有する陰イオンポリマーを含むサイジング促進剤
を添加し、得られた懸濁液を地合構成し、脱水することを含み、サイジング分散液及びサイジング促進剤を別々に添加することを特徴とする紙のサイジング方法。
【請求項２１】
サイジング分散液が一つ以上の芳香族基を有する陽イオン有機ポリマーを更に含む請求の範囲第２０項記載の方法。
【請求項２２】
陽イオン有機ポリマーが陽イオン多糖又は陽イオンビニル付加ポリマーである請求の範囲第２０項または第２１項記載の方法。
【請求項２３】
陽イオン有機ポリマーが陽イオン多糖である請求の範囲第２０項または第２１項に記載の方法。
【請求項２４】
陽イオン有機ポリマーが構造式（Ｉ）：
【化４】
2004506103.tif 000004
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖、又は一般式（ＩＩ）：
【化５】
2004506103.tif 000005
（式中、Ｒ1はＨ又はＣＨ3であり、Ｒ2及びＲ3は夫々１〜３個の炭素原子を有するアルキル基であり、Ａ1はＯ又はＮＨであり、Ｂ1は２〜８個の炭素原子を有するアルキレン基又はヒドロキシプロピレン基であり、Ｑは芳香族基を含む置換基であり、かつＸ-は陰イオン対イオンである）
により表される陽イオンモノマー又は陽イオンモノマーを含むモノマー混合物を重合することにより得られたビニル付加ポリマーである請求の範囲第２０項または第２１項記載の方法。
【請求項２５】
陽イオン有機ポリマーが構造式（Ｉ）：
【化６】
2004506103.tif 000006
（式中、Ｐは多糖の残基であり、ＡはＮを多糖残基に結合するＣ原子及びＨ原子を含む原子の鎖であり、Ｒ1及びＲ2は夫々Ｈ又は炭化水素基であり、Ｒ3は芳香族炭化水素基であり、ｎは２から３０００００までの整数であり、かつＸ-は陰イオン対イオンである）
を有する陽イオン多糖である請求の範囲第２０項または第２１項記載の方法。
【請求項２６】
Ａが必要により１個以上のヘテロ原子により中断又は置換されていてもよい、２〜１８個の炭素原子を有するアルキレン基であり、Ｒ1及びＲ2が夫々Ｈ又は１〜３個の炭素原子を有するアルキル基であり、Ｒ3がベンジル基又はフェニルエチル基である請求の範囲第２５項記載の方法。
【請求項２７】
陰イオンポリマーが段階成長ポリマー、多糖又は天然産芳香族ポリマーである請求の範囲第２０項〜第２６項のいずれか１項に記載の方法。
【請求項２８】
サイジング分散液及び促進剤の陰イオンポリマーが段階成長ポリマー又は天然産芳香族ポリマーである請求の範囲第２０項〜第２６項のいずれか１項に記載の方法。
【請求項２９】
陰イオンポリマーがナフタレンスルホネート縮合ポリマー、ポリスチレンスルホネートポリマー又は変性リグニンポリマーである請求の範囲第２０項〜第２６項のいずれか１項に記載の方法。
【請求項３０】
陰イオンポリマーがナフタレンスルホネート縮合ポリマー又は変性リグニンポリマーである請求の範囲第２０項〜第２６項のいずれか１項に記載の方法。
【請求項３１】
陰イオンポリマーが縮合ナフタレンスルホネート又はリグニンスルホネートである請求の範囲第２０項〜第２６項のいずれか１項に記載の方法。
【請求項３２】
サイジング促進剤中に含まれる陽イオン有機ポリマー及び陰イオンポリマーを水性懸濁液に別々に添加する請求の範囲第２０項〜第３１項のいずれか１項に記載の方法。
【請求項３３】
サイジング促進剤中に含まれる陰イオンポリマーをサイジング分散液及びサイジング促進剤中に含まれる陽イオン有機ポリマーの両方の後に水性懸濁液に添加する請求の範囲第２０項〜第３２項のいずれか１項に記載の方法。
【請求項３４】
懸濁液に添加されるサイジング促進剤の陽イオン有機ポリマーの量が乾燥繊維を基準として約０．００１重量％から約３重量％までであり、懸濁液に添加されるサイジング促進剤の陰イオンポリマーの量が乾燥繊維を基準として約０．００１重量％から約３重量％までである請求の範囲第８項〜第３３項のいずれか１項に記載の方法。
【請求項３５】
懸濁液に添加されるサイジング分散液の量が乾燥繊維を基準としてサイジング剤として計算して約０．０１重量％から約５．０重量％までである請求の範囲第１項〜第３４項のいずれか１項に記載の方法。
【請求項３６】
サイジング分散液が陰イオン性又は陽イオン性である請求の範囲第１項〜第３５項のいずれか１項に記載の方法。
【請求項３７】
サイジング剤がセルロース反応性サイジング剤である請求の範囲第１項〜第３６項のいずれか１項に記載の方法。
【請求項３８】
サイジング剤がケテン二量体又は酸無水物である請求の範囲第１項〜第３７項のいずれか１項に記載の方法。
【請求項３９】
サイジング剤がケテン二量体である請求の範囲第１項〜第３８項のいずれか１項に記載の方法。
【請求項４０】
懸濁液の導電率が少なくとも３．５ｍＳ／ｃｍである請求の範囲第１項〜第３９項のいずれか１項に記載の方法。
【請求項４１】
懸濁液の導電率が少なくとも４．５ｍＳ／ｃｍである請求の範囲第１項〜第４０項のいずれか１項に記載の方法。